(57)【要約】【課題】単純な構成で簡単な作業が可能な止水ボルト、足場つなぎアンカー用化粧キャップ部材及び足場つなぎアンカー用化粧キャップ部材の組み付け方法を提供する。【解決手段】本発明の止水ボルト２は、壁つなぎ足場で用いる筒状のインサート１００の筒内に形成される雌ねじ１００ｎに嵌合する雄ねじ２ｍ１、２ｍ２を有するねじ軸２ａと、ねじ軸２ａの一端部に化粧キャップ３が設けられるキャップ穴２ｂ１が形成されたねじ頭部２ｂと、を有し、ねじ軸２ａとねじ頭部２ｂとが一体に樹脂で形成されており、雄ねじ２ｍ１、２ｍ２のそれぞれのねじピッチｐ１は、雌ねじのねじピッチｐ１と同じであり、かつ、雄ねじ２ｍ１、２ｍ２がそれぞれのねじ山の中間に２つ形成されており、雄ねじ２ｍ１、２ｍ２のねじ山の高さｈ２は、前記雌ねじのねじ山の高さｈ１より低い。【選択図】図４
2020204247.tif 000002
【特許請求の範囲】
【請求項１】
壁つなぎ足場で用いる筒状のインサートの筒内に形成される雌ねじに嵌合する２つの雄ねじを有するねじ軸と、
前記ねじ軸の一端部に化粧キャップが設けられるキャップ穴が形成されたねじ頭部と、を有し、
前記ねじ軸と前記ねじ頭部とが一体に樹脂で形成されており、
前記雄ねじのそれぞれのねじピッチは、前記雌ねじのねじピッチと同じであり、かつ、２つの前記雄ねじがそれぞれのねじ山の中間に形成されており、
前記雄ねじのねじ山の高さは、前記雌ねじのねじ山の高さより低い
ことを特徴とする止水ボルト。
【請求項２】
壁つなぎ足場で用いる筒状のインサートの筒内に形成される雌ねじに嵌合する雄ねじを有するねじ軸と、
前記ねじ軸の一端部に化粧キャップが設けられるキャップ穴が形成されたねじ頭部と、を有し、
前記ねじ軸と前記ねじ頭部とが一体に樹脂で形成されており、
前記雄ねじのねじピッチは、前記雌ねじのねじピッチより小さく、かつ、
前記雄ねじのねじ山の高さは、前記雌ねじのねじ山の高さより低い
ことを特徴とする止水ボルト。
【請求項３】
前記止水ボルトの雄ねじの外周部がねじ頭部側からねじ先端側まで軸方向に沿って除去された面取り箇所が１箇所以上ある  
ことを特徴とする請求項１または請求項２に記載の止水ボルト。
【請求項４】
前記止水ボルトの雄ねじと前記インサートの雌ねじは、ねじの切り始めの位相が異なっている
ことを特徴とする請求項１または請求項２に記載の止水ボルト。
【請求項５】
前記ねじ頭部は、前記化粧キャップの支持軸部を嵌合するキャップ穴を有し、前記キャップ穴の周辺に化粧キャップの支持軸部が嵌入された際に変形代となる凹形状の逃げ部が形成されている
ことを特徴とする請求項１乃至請求項４のいずれか一項に記載の止水ボルト。
【請求項６】
前記止水ボルトは、ねじ頭部と雄ねじとの間にアンカー用の穴の径より大きな径を有して覆う外周部が形成されている防水用のツバ部が一体に形成されている
ことを特徴とする請求項１乃至請求項５のいずれか一項に記載の止水ボルト。
【請求項７】
前記止水ボルトは、ねじ軸の先端部から突出して前記インサートの筒内に前記ねじ軸を案内する案内突出片を有しており、
前記案内突出片は、
根元の内側に凹形状の切り込みが形成されており、かつ、
その先端部は、外方に行くに従って前記止水ボルトの軸に近付く傾斜を有している
ことを特徴とする請求項１乃至請求項６のいずれか一項に記載の止水ボルト。
【請求項８】
前記止水ボルトのねじ軸は、軸方向において前記雄ねじのねじ谷よりも小さな直径でねじ山が形成されていない円柱状の非ねじ軸が設けられている
ことを特徴とする請求項１乃至請求項７のいずれか一項に記載の止水ボルト。
【請求項９】
前記ねじ軸の内側には、断面多角形状のレンチ穴が軸方向に延在して設けられている
ことを特徴とする請求項１乃至請求項８のいずれか一項に記載の止水ボルト。
【請求項１０】
請求項１乃至請求項８のいずれか一項に記載の止水ボルトと、
前記ねじ頭部の前記キャップ穴に設けられた前記化粧キャップとを
備えていることを特徴とする足場つなぎアンカー用化粧キャップ部材。
【請求項１１】
前記化粧キャップは、キャップと前記キャップに一体に形成される軸部とを備え、 
前記キャップに対して、前記軸部の向きを変えられる
ことを特徴とする請求項１０に記載の足場つなぎアンカー用化粧キャップ部材。
【請求項１２】
前記軸部の前記キャップ側の根元部には、前記キャップ側から、小径部と、前記小径部よりも大径の突条を備えた係止部と、前記係止部に連続して前記キャップ側から離れるに連れて拡径する傾斜面部と、が順次形成されている
ことを特徴とする請求項１１に記載の足場つなぎアンカー用化粧キャップ部材。
【請求項１３】
前記止水ボルトの前記ねじ軸の根元に嵌合するゴムパッキンをさらに備え、
前記ゴムパッキンは、円筒形状の胴部と鍔部とを有し、
前記鍔部は、前記胴部よりも前記ねじ軸側に配置され、前記胴部から離れるに連れて次第に径が小さくなる円環部を有している
ことを特徴とする請求項１０乃至請求項１２のいずれか一項に記載の足場つなぎアンカー用化粧キャップ部材。
【請求項１４】
壁繋ぎ足場で用いる筒状のインサートの筒内に形成される雌ねじに嵌合するねじ軸と、
前記ねじ軸の一端部に化粧キャップが形成されるねじ頭部と、を有し、
前記ねじ軸と前記ねじ頭部と前記化粧キャップとが一体に樹脂で形成されており、
前記雄ねじのねじピッチは、前記雌ねじのねじピッチと同等またはより小さく、かつ、
前記雄ねじのねじ山の高さは、前記雌ねじのねじ山の高さより低い
ことを特徴とする足場つなぎアンカー用化粧キャップ部材。
【請求項１５】
請求項１乃至請求項８のいずれか一項に記載の止水ボルトのねじ頭部に設けた化粧キャップを、建物の外壁の足場で用いる筒状のインサートの筒内に形成される雌ねじに前記化粧キャップを殴打することで、前記化粧キャップを外壁と面一とする
ことを特徴とする足場つなぎアンカー用化粧キャップ部材の組み付け方法。
【発明の詳細な説明】
【技術分野】
【０００１】
本発明は、止水ボルト、足場つなぎアンカー用化粧キャップ部材及び足場つなぎアンカー用化粧キャップ部材の組み付け方法に関する。
【背景技術】
【０００２】
従来、建物の外壁を工事するに際して、外壁に足場を組む。
図３０は、従来のアンカー用の穴ｋ１に設置する足場つなぎアンカー用化粧キャップ部材１０１の分解図であり、図３１は、従来の足場つなぎアンカー用化粧キャップ部材１０１を外壁Ｋに組み付けた状態の断面図である。
足場を組むに際しては、外壁Ｋにアンカー用の穴ｋ１（図３１）が設けられ、該穴ｋ１に内側に雌ねじが形成された足場つなぎアンカー１００が打ち込まれる。
【０００３】
そして、足場つなぎアンカー１００に壁つなぎが締め込まれ、足場が組まれる。
足場を使用した工事が終了後、足場が解体され、アンカーボルトが取り外される。その後、下記のアンカー用の穴ｋ１を見えなくする作業（化粧作業）が行われる。
【０００４】
図３０に示すように、化粧用部材の足場つなぎアンカー用化粧キャップ部材１０１は、止水ボルト１０２と化粧キャップ１０３と環状の防水ゴム１０２ｐとを有している。
止水ボルト１０２は、雄ねじ１０２ｍとボルトパッド１０２ｂとキャップ取付穴１０２ｃとを有している。また、化粧キャップ１０３は、キャップ軸１０３ａが軸部１０３ｂの球体１０３ｃ（図３１）に嵌合されている。
【０００５】
図３１に示すように、外壁Ｋの穴ｋ１に打ち込まれた足場つなぎアンカー１００に、止水ボルト１０２がねじ込み量を調整しながらねじ込まれる。そして、止水ボルト１０２に化粧キャップ１０３が取り付けられている（特許文献１参照）。
こうして、足場つなぎアンカー用化粧キャップ部材１０１が外壁Ｋの足場つなぎアンカー１００の内部に設置されている。化粧キャップ１０３により、外壁Ｋに形成された穴ｋ１が塞がれる。
【先行技術文献】
【特許文献】
【０００６】
【特許文献１】特開２００９−２４３４０号公報
【発明の概要】
【発明が解決しようとする課題】
【０００７】
ところで、化粧用部材である足場つなぎアンカー用化粧キャップ部材１０１（１０３、１０３ａ、１０２、１０２ｐ）は、止水ボルト１０２をねじ込んで化粧キャップ１０３が外壁Ｋから凹んだり、突出したりすることがないように調整する必要があり、組み上げるのに手間がかかるという問題がある。
本発明は上記実状に鑑み創案されたものであり、簡単な作業により化粧キャップの位置を調整可能な止水ボルト、足場つなぎアンカー用化粧キャップ部材及び足場つなぎアンカー用化粧キャップ部材の組み付け方法の提供を目的とする。
【課題を解決するための手段】
【０００８】
前記課題を解決するため、第１の本発明の止水ボルトは、壁つなぎ足場で用いる筒状のインサートの筒内に形成される雌ねじに嵌合する２つの雄ねじを有するねじ軸と、前記ね 
じ軸の一端部に化粧キャップが設けられるキャップ穴が形成されたねじ頭部と、を有し、前記ねじ軸と前記ねじ頭部とが一体に樹脂で形成されており、前記雄ねじのそれぞれのねじピッチは、前記雌ねじのねじピッチと同じであり、かつ、２つの前記雄ねじがそれぞれのねじ山の中間に形成されており、  前記雄ねじのねじ山の高さは、前記雌ねじのねじ山の高さより低い。
【０００９】
第２の本発明の止水ボルトは、壁つなぎ足場で用いる筒状のインサートの筒内に形成される雌ねじに嵌合する雄ねじを有するねじ軸と、前記ねじ軸の一端部に化粧キャップが設けられるキャップ穴が形成されたねじ頭部と、を有し、前記ねじ軸と前記ねじ頭部とが一体に樹脂で形成されており、前記雄ねじのねじピッチは、前記雌ねじのねじピッチより小さく、かつ、前記雄ねじのねじ山の高さは、前記雌ねじのねじ山の高さより低い。
【００１０】
第３の本発明の足場つなぎアンカー用化粧キャップ部材は、第１または第２の本発明の止水ボルトと、前記ねじ頭部の前記キャップ穴に設けられた化粧キャップとを備えている。
【００１１】
第４の本発明の足場つなぎアンカー用化粧キャップ部材は、壁繋ぎ足場で用いる筒状のインサートの筒内に形成される雌ねじに嵌合するねじ軸と、前記ねじ軸の一端部に化粧キャップが形成されるねじ頭部と、を有し、前記ねじ軸と前記ねじ頭部と化粧キャップとが一体に樹脂で形成されており、前記雄ねじのねじピッチは、前記雌ねじのねじピッチと同等またはより小さく、かつ、前記雄ねじのねじ山の高さは、前記雌ねじのねじ山の高さより低い。
【００１２】
第５の本発明の足場つなぎアンカー用化粧キャップ部材の組み付け方法は、第１から第３の何れか１つの本発明の止水ボルトのねじ頭部に設けた化粧キャップを、建物の外壁の足場で用いる筒状のインサートの筒内に形成される雌ねじに化粧キャップを殴打することで前記止水ボルトを打ち込んで、前記化粧キャップが外壁と面一とする。
【発明の効果】
【００１３】
本発明によれば、簡単な作業により化粧キャップの位置を調整可能な止水ボルト、足場つなぎアンカー用化粧キャップ部材及び足場つなぎアンカー用化粧キャップ部材の組み付け方法を提供することができる。
【図面の簡単な説明】
【００１４】
【図１】本発明に係る実施形態１の止水ボルトを含む足場つなぎアンカー用化粧キャップ部材を外壁のアンカー用の穴に設置した状態の断面図。
【図２】外壁に形成されるアンカー用の穴に設置される本発明に係る実施形態１の足場つなぎアンカー用化粧キャップ部材の設置時の分解斜視図。
【図３】（ａ）は本発明に係る実施形態１の足場つなぎアンカー用化粧キャップ部材と足場つなぎアンカーの分解斜視図、（ｂ）はゴムパッキンの一部縦断面を含む側面図。
【図４】止水ボルトを示す正面図。
【図５】足場つなぎアンカーの雌ねじと止水ボルトの雄ねじとの嵌合状態を示す拡大模式図。
【図６】（ａ）は実施形態１の足場つなぎアンカーの雌ねじの縦断面図、（ｂ）は（ａ）のＩ方向矢視図。
【図７】（ａ）は実施形態１の止水ボルトの雄ねじの縦断面図、（ｂ）は（ａ）のII方向矢視図。
【図８】実施形態１の足場つなぎアンカーの雌ねじと止水ボルトの雄ねじとが噛み合った状態での雌ねじの始点と雄ねじの始点とを軸方向に見た模式図。
【図９】変形例１の止水ボルトの斜視図。
【図１０】（ａ）は変形例１の止水ボルトの正面図、（ｂ）は変形例１の（ａ）のIII方向矢視図。
【図１１】変形例２の足場つなぎアンカー用化粧キャップ部材が外壁のアンカー用の穴に設置した足場つなぎアンカーに打ち込まれた状態の断面図。
【図１２】（ａ）は変形例２の止水ボルトの一部断面を含む正面図、（ｂ）は変形例２の（ａ）のIV方向矢視図。
【図１３】（ａ）は変形例３の止水ボルトの正面図、（ｂ）は変形例３の（ａ）のＶ方向矢視図。
【図１４】変形例３の足場つなぎアンカー用化粧キャップ部材を足場つなぎアンカーの内部に嵌入する状態を示す拡大断面模式図。
【図１５】変形例４の止水ボルトの正面図。
【図１６】変形例４の足場つなぎアンカー用化粧キャップ部材を足場つなぎアンカーの打ち込みが浅い場合に適用した場合の断面図。
【図１７】変形例４の足場つなぎアンカー用化粧キャップ部材を足場つなぎアンカーの打ち込みが深い場合に適用した場合の断面図。
【図１８】変形例５の化粧キャップを止水ボルトに一体形成した足場つなぎアンカー用化粧キャップ部材を構成した図。
【図１９】変形例５の他例の化粧キャップとツバ部を止水ボルトに一体形成して、足場つなぎアンカー用化粧キャップ部材を構成した図。
【図２０】変形例６の足場つなぎアンカー用化粧キャップ部材が足場つなぎアンカーの内部に設置された状態を示す断面図。
【図２１】変形例６の化粧キャップを示す正面図。
【図２２】（ａ）は変形例７の化粧キャップの一例を示す正面断面図、（ｂ）は変形例７の足場つなぎアンカー用化粧キャップ部材が足場つなぎアンカーの内部に設置された状態の一例を示す断面図。
【図２３】（ａ）は現状品である他社製品の化粧キャップの一例を示す正面断面図、（ｂ）は現状品である他社製品の足場つなぎアンカー用化粧キャップ部材が足場つなぎアンカーの内部に設置された状態の一例を示す断面図。
【図２４】（ａ）は実施形態２の足場つなぎアンカー用化粧キャップ部材が壁のアンカー用の穴に設置された状態を示す正面図、（ｂ）は実施形態２の足場つなぎアンカー用化粧キャップ部材の止水ボルトの斜視図、（ｃ）は（ｂ）のVI方向矢視図。
【図２５】変形例８の化粧キャップを示す正面断面図。
【図２６】変形例９のゴムパッキンを示す正面断面図。
【図２７】（ａ）は変形例１０の止水ボルトの正面図、（ｂ）は変形例１０の（ａ）のVII方向矢視図。
【図２８】変形例１０の止水ボルトの断面斜視図。
【図２９】実施形態３の足場つなぎアンカー用化粧キャップ部材が足場つなぎアンカーの内部に設置された状態を示す断面図。
【図３０】従来のアンカー用の穴に設置する足場つなぎアンカー用化粧キャップ部材の分解図。
【図３１】従来の足場つなぎアンカー用化粧キャップ部材を外壁に組み付けた状態の断面図。
【発明を実施するための形態】
【００１５】
以下、本発明の実施形態について、適宜図面を参照しながら詳細に説明する。
＜＜実施形態１＞＞
始めに足場つなぎアンカー用化粧キャップ部材の使用手順について説明し、その後に各構成について説明する。
図２に示すように、建物の外壁Ｋを工事するに際して、外壁Ｋに足場を組む。
足場を組むに際しては、外壁Ｋにアンカー用の穴ｋ１が複数設けられる。そして、アンカー用の穴ｋ１に、図３（ａ）に示す中央孔１００ａに雌ねじ１００ｎが形成された足場つなぎアンカー１００が打ち込まれる（図１の矢印α１１）。
【００１６】
なお、足場つなぎアンカー１００は、円筒形状を有している。足場つなぎアンカー１００の奥側には、アンカー用の穴ｋ１からの抜け防止材１０１が嵌合されている。
【００１７】
そして、足場つなぎアンカー１００に足場用のアンカーボルトがボルト締めされ、足場が組まれる。
工事が終了後、アンカー用の穴ｋ１を見えなくする作業（化粧作業）が行われる。
【００１８】
アンカー用の穴ｋ１に設けられた足場つなぎアンカー１００の雌ねじ１００ｎに、実施形態１の止水ボルト２を含む足場つなぎアンカー用化粧キャップ部材１が打ち込まれる。
キャップ部３ａが外壁Ｋに設けられるので一連の作業が終了する。
【００１９】
足場つなぎアンカー用化粧キャップ部材１は、止水ボルト２と化粧キャップ３とゴムパッキン４とを備えている。以下構成について説明する。
【００２０】
＜止水ボルト２＞
止水ボルト２は、樹脂成形される。止水ボルト２は、雄ねじ２ｍをもつねじ軸２ａとねじ頭２ｂとを有している。
止水ボルト２は、使い捨てである。止水ボルト２は、足場つなぎアンカー１００を再利用するために用いられるものであり、化粧キャップ３等とともに一式で使用されるものである。
この際、足場つなぎアンカー１００の雌ねじ１００ｎと止水ボルト２の雄ねじ２ｍが合うことでソケットレンチでスムーズに外せる。
下記の止水ボルト２の第１雄ねじ２ｍ１と第２雄ねじ２ｍ２は、足場つなぎアンカー１００の雌ねじ１００ｎと同じねじなので、一番スムーズに外せる。
止水ボルト２のねじ頭２ｂには、化粧キャップ３のキャップ軸３ｄが嵌入されるキャップ穴２ｂ１が形成されている。ねじ頭２ｂは、六角形に形成されている。また、根元２ａ１とねじ頭２ｂとの間にねじ頭２ｂよりも大径となるフランジが形成されている。
【００２１】
ねじ軸２ａには、雄ねじ２ｍが形成されている。
止水ボルト２の雄ねじ２ｍは、足場つなぎアンカー１００の雌ねじ１００ｎと同じピッチの２つの雄ねじ（第１雄ねじ２ｍ１と第２雄ねじ２ｍ２）が、π位相をずらして形成されている。すなわち、ねじ軸２ａの雄ねじ２ｍは、足場つなぎアンカー１００の雌ねじ１００ｎのピッチｐ１と同じピッチｐ１の第１雄ねじ２ｍ１と第２雄ねじ２ｍ２とがそれぞれ雌ねじ１００ｎのねじ山間に形成されている。
図５に示すように、第１雄ねじ２ｍ１は雌ねじ１００ｎのねじ山１００ｎ１に接触し、第２雄ねじ２ｍ２は雌ねじ１００ｎのねじ山１００ｎ２に接触する。
【００２２】
そのため、雄ねじ２ｍのピッチｐ２（第１雄ねじ２ｍ１と第２雄ねじ２ｍ２間の距離）は、足場つなぎアンカー１００の雌ねじ１００ｎ（図２参照）のピッチｐ１より小さいピッチで形成されている。
また、止水ボルト２の雄ねじ２ｍのねじ山の高さｈ２は、足場つなぎアンカー１００の雌ねじ１００ｎのねじ山の高さｈ１より小さく形成されている。
【００２３】
例えば、本実施形態では、止水ボルト２の雄ねじ２ｍのピッチｐ２を、足場つなぎアンカー１００の雌ねじ１００ｎのピッチｐ１の１／２とした場合を示している。また、止水ボルト２における雄ねじ２ｍのねじ山の高さｈ２を、足場つなぎアンカー１００の雌ねじ１００ｎのねじ山の高さｈ１の１／２の高さとした場合を示している。
【００２４】
そして、実施形態１では、足場つなぎアンカー１００の雌ねじ１００ｎ（図６（ａ）、（ｂ））と止水ボルト２の雄ねじ２ｍ（図７（ａ）、（ｂ））の位相を異ならせて構成しいる。
図６（ｂ）に示すように、足場つなぎアンカー１００は、雌ねじ１００ｎの切り始めが始点１００ｎ０である。 
図７（ｂ）に示すように、止水ボルト２は、雄ねじ２ｍの切り始めが始点２ｍ０である。
【００２５】
止水ボルト２の雄ねじ２ｍの切り始め（始点ｍ０）は、足場つなぎアンカー１００の雌ねじ１００ｎの始点１００ｎ０に対して位相θがπ（１８０度）遅れている。すなわち、止水ボルト２の雄ねじ２ｍは、足場つなぎアンカー１００の雌ねじ１００ｎに対して位相がπ（１８０度）遅れて形成されている。
【００２６】
足場つなぎアンカー１００の雌ねじ１００ｎと止水ボルト２の雄ねじ２ｍの位相とが異なることで、止水ボルト２は足場つなぎアンカー１００の雌ねじ１００ｎの内部に止水ボルト２の２つの雄ねじ２ｍを配置でき、円滑に打ち込む（嵌合する）ことができる。
【００２７】
足場つなぎアンカー用化粧キャップ部材１の外部空間側には化粧キャップ３が嵌合されている。化粧キャップ３のキャップ部３ａは、外壁Ｋの外面仕上げＫｇ（図２参照）と同じ模様とされている。例えば、外壁Ｋの外面仕上げＫｇがタイル仕上げの場合には、キャップ部３ａはタイル仕上げ模様とされる。
【００２８】
化粧キャップ３は、キャップ部３ａと球体３ｃ（図１１参照）を有する支持軸部３ｂとが形成されている。化粧キャップ３は、支持軸部３ｂの球体３ｃにキャップ軸３ｄが嵌合され構成されている。化粧キャップ３は、球体３ｃがあることでキャップ部３ａがキャップ軸３ｄに対して、直交する位置関係から所定角度傾斜することができるようになっている。
【００２９】
なお、止水ボルト２のねじ軸２ａの根元２ａ１には、一例としてここでは、ゴムパッキン４が予め嵌められている。図３（ａ）、図３（ｂ）に示すように、ゴムパッキン４は中央に孔４ａが形成された環形状に形成されている。
【００３０】
ゴムパッキン４は、胴部４ａと鍔部４ｂとを有している。鍔部４ｂには、胴部４ａから次第に径が太くなる円錐状部４ｂ１を有している。円錐状部４ｂ１は足場つなぎアンカー用化粧キャップ部材１が打ち込まれる際にゴムパッキン４が滑らかにアンカー用の穴ｋ１に摺動してシールすることができる大きさに形成されている。
【００３１】
足場つなぎアンカー用化粧キャップ部材１を使用する場合は、止水ボルト２の外部空間側からねじ頭２ｂのキャップ穴２ｂ１に化粧キャップ３のキャップ軸３ｄが嵌められ、止水ボルト２のねじ軸２ａの根元２ａ１には、環状のゴムパッキン４（図３（ｂ）参照）が弾性変形させて嵌められる。
【００３２】
＜足場つなぎアンカー用化粧キャップ部材１の足場つなぎアンカー１００への組み付け＞
次に、足場つなぎアンカー用化粧キャップ部材１の足場つなぎアンカー１００への組み付け方法について説明する。
【００３３】
図３（ａ）に示すように、止水ボルト２の根元２ａ１に、孔４ａを嵌入してゴムパッキン４を嵌める（図２参照）。
続いて、ゴムパッキン４を嵌めた止水ボルト２のねじ頭２ｂのキャップ穴２ｂ１に、化粧キャップ３のキャップ軸３ｄを嵌入して、化粧キャップ３を止水ボルト２のねじ頭２ｂに取り付ける。
続いて、図１に示すように、外壁Ｋにアンカー用の穴ｋ１内の足場つなぎアンカー１００の雌ねじ１００ｎの内部に、足場つなぎアンカー用化粧キャップ部材１における止水ボルト２の雄ねじ２ｍを合わせて、足場つなぎアンカー１００の雌ねじ１００ｎの内部に足場つなぎアンカー用化粧キャップ部材１を打ち入れる。そして、足場つなぎアンカー用化 
粧キャップ部材１の化粧キャップ３が外壁Ｋと面一になるようにする。
ハンマーは、金属よりもプラスチック製であることが好ましく、ハンマーの直径が化粧キャップ３の直径よりも大きいことで、ハンマーが外壁Ｋまで化粧キャップ３を殴打すると外壁Ｋと同じ面上にすることができる。または、当て板を当てて金属ハンマーで殴打しても良い。
例えば、図２５、図２６に示す従来の足場つなぎアンカー１００の雌ねじ１００ｎと同じピッチの止水ボルト１０１では、化粧キャップ１０３が外壁Ｋとの間に最大で足場つなぎアンカー１００の雌ねじ１００ｎのピッチの高低差が発生する。
これに対して、本実施形態では、止水ボルト２の雄ねじ２ｍのピッチｐ２の高低差しか生じない。
【００３４】
止水ボルト２は樹脂で成形されている。そして、止水ボルト２は、雄ねじ２ｍのピッチｐ２を足場つなぎアンカー１００の雌ねじ１００ｎ（図５参照）のピッチｐ１より小さくするとともに、止水ボルト２の雄ねじ２ｍのねじ山の高さｈ２を、足場つなぎアンカー１００の雌ねじ１００ｎのねじ山の高さｈ１より小さく形成している。
足場つなぎアンカー用化粧キャップ部材１は、足場つなぎアンカー１００の内部に打ち込まれると、止水ボルト２の雄ねじ２ｍが弾性変形して、止水ボルト２を足場つなぎアンカー１００の内部に打ち入れることができる。
【００３５】
したがって、外壁Ｋのアンカー用の穴ｋ１を見えなくする作業が容易である。また、足場つなぎアンカー用化粧キャップ部材１を打ち込むので、足場つなぎアンカー用化粧キャップ部材１の化粧キャップ３を外壁Ｋと面一にし易い。
さらに、足場つなぎアンカー用化粧キャップ部材１を打ち込んで調整できる構成であるので、足場つなぎアンカー１００に打ち込まれる長さにより、外壁Ｋから化粧キャップ３が突出したり、凹んだりする事象を減少できる。
こうして、外壁Ｋのアンカー用のすべての穴ｋ１に足場つなぎアンカー用化粧キャップ部材１を打ち込むことで穴ｋ１を見えなくする作業（化粧作業）が終了する。
足場つなぎアンカー用化粧キャップ部材１は、前記したように、次回工事に再利用することが可能となる。つまり、止水ボルト２から化粧キャップ３を取り外し、ねじ頭２ｂをソケットレンチに係合して回すことで取り外すことができる。
なお、止水ボルト２の雄ねじ２ｍは、足場つなぎアンカー１００の雌ねじ１００ｎの１／２ピッチのピッチｐ２の雄ねじ２ｍ３で構成してもよい。
【００３６】
＜変形例１＞
変形例１は、図９に示すように、止水ボルト２２の雄ねじ２２ｍの外周部がねじ頭部２２ｂの側から雄ねじ２２ｍの先端２２ａ１の側まで軸方向に沿って除去された面取り箇所２２ｍ１が１箇所以上ある構成としたものである。その他の構成は、雄ねじ２２ｍのピッチが足場つなぎアンカー１００の雌ねじ１００ｎのピッチｐ１の１／２であること以外、実施形態１と同様であるから、実施形態１と同一の構成要素には２０番台の符号を付して示し、詳細な説明は省略する。
【００３７】
変形例１の止水ボルト２２のねじ軸２２ａには、雄ねじ２２ｍが形成されている。そして、雄ねじ２２ｍの外周部がねじ頭部２２ｂの側から雄ねじ２２ｍの先端２２ａ１の側まで軸方向に沿って除去された面取り箇所２２ｍ１が１例として４箇所形成されている。
変形例１によれば、止水ボルト２２のねじ軸２２ａに、雄ねじ２２ｍの半径ｒ１より小さい半径ｒ２をもつ平面の面取り箇所２２ｍ１が形成されるので、足場つなぎアンカー用化粧キャップ部材１を足場つなぎアンカー１００の内部に打ち込むに際して、足場つなぎアンカー１００の雌ねじ１００ａと止水ボルト２２の雄ねじ２２ｍとが干渉するエリアが少なくなる。そのため、止水ボルト２２をもつ足場つなぎアンカー用化粧キャップ部材１の足場つなぎアンカー１００の内部への打ち込み作業が容易になる。 
また、止水ボルト２２の雄ねじ２２ｍのピッチが足場つなぎアンカー１００の雌ねじ１００ｎのピッチｐ１の１／２ピッチとし、面取り箇所２２ｍ１を形成することで、止水ボルト２２を次回工事の時に再利用する場合、足場つなぎアンカー１００の雌ねじ１００ｎのねじ山に倣ってソケットレンチで外すことができる。
【００３８】
なお、変形例１では面取り箇所２２ｍ１が４箇所形成された場合を例に挙げて説明したが、１箇所以上あればよく、変形例１の上記効果を奏する。
【００３９】
＜変形例２＞
変形例２の足場つなぎアンカー用化粧キャップ部材３１（図１１参照）における止水ボルト３２は、図１２（ａ）、（ｂ）に示すように、ねじ頭部３２ｂに化粧キャップ３の支持軸部３ｂを嵌合するキャップ穴３２ｂ１を有している。そして、キャップ穴３２ｂ１の周辺部に化粧キャップ３の支持軸部３ｂが嵌入された際に変形代となる凹形状の逃げ部３２ｂ２が形成されている。
【００４０】
また、止水ボルト３２は、ねじ頭部３２ｂとねじ軸３２ａとの間に防水用のツバ部３２ｃが一体に形成されている。
図１２（ａ）、（ｂ）に示すように、ツバ部３２ｃは、所定の厚みで外周部３２ｃ１をもつ円板状に形成されている。ツバ部３２ｃの外径ｄ２（図１２（ａ）、（ｂ））は、アンカー用の穴ｋ１の径ｄ１（図１１参照）より大きな径を有している。なお、外周部３２ｃ１の厚みは、例えば、０．４〜０．８ｍｍの範囲であるとスムーズに打ち込むことができる。
これにより、図１１に示すように、ツバ部３２ｃの外周部３２ｃ１は、足場つなぎアンカー用の穴ｋ１を覆い、外壁Ｋのアンカー用の穴ｋ１と外部空間とをシールすることができる。
【００４１】
ねじ頭３２ｂにおける逃げ部３２ｂ２は、ねじ頭部３２ｂに環状の凹形状をもつ凹部として形成されている。
キャップ穴３２ｂ１と逃げ部３２ｂ２との間には、環形状の変形肉３２ｂ３が形成されている。
キャップ穴３２ｂ１の周辺部に凹形状の逃げ部３２ｂ２が形成されることで、図１１に示すように、化粧キャップ３の球体３ｃを有する支持軸部３ｂがキャップ穴３２ｂ１に嵌入された際、環形状の変形肉３２ｂ３が弾性変形して逃げ部３２ｂ２に入り込む。そのため、化粧キャップ３の球体３ｃを有する支持軸部３ｂを円滑にキャップ穴３２ｂ１に嵌入できる。
【００４２】
また、図１１に示すように、化粧キャップ３に別部品のキャップ軸３ｄ（図３（ａ）参照）を用いることなく、化粧キャップ３を直接ねじ頭３２ｂに嵌めることができる。
したがって、化粧キャップ３の止水ボルト３２への取り付けが容易である。
また、足場つなぎアンカー用化粧キャップ部材３１がアンカー用の穴ｋ１に嵌入された際、止水ボルト３２のツバ部３２ｃがアンカー用の穴ｋ１の径ｄ１（図１１参照）より大きな外径ｄ２（図１２（ａ）参照）をもつので、ツバ部３２ｃによって、アンカー用の穴ｋ１（図１１参照）を塞ぎ、シールすることができる。
【００４３】
また、シール機能をもつツバ部３２ｃが止水ボルト３２と一体成形されるので、防水ゴム１０２ｐ（図２５、図２６参照）が不要になる。そのため、部品点数を削減できる。また、防水ゴム１０２ｐを止水ボルト１０２（図２５参照）に嵌める組立て作業が解消し、組立て性が向上する。
【００４４】
＜変形例３＞ 
変形例３の止水ボルト４２（図１３（ａ）参照）は、ねじ軸４２ａの先端部４２ａ１から突出した案内突出片４２ｔを形成してもよい。
図１３（ａ）、（ｂ）に示すように、案内突出片４２ｔは、ねじ軸４２ａの先端部４２ａ１から突出して一対形成されている。案内突出片４２ｔは、足場つなぎアンカー１００の筒内に足場つなぎアンカー用化粧キャップ部材４１を打ち込む際に円滑に入るように、ねじ軸４２ａを足場つなぎアンカー１００の内部に案内する。
【００４５】
図１３（ａ）に示すように、一対の案内突出片４２ｔは、それぞれ雄ねじ４２ｍの外径ｄ３より小さい外径ｄ４（図１４参照）を有している。換言すれば、案内突出片４２ｔの半径ｒ１はそれぞれ雄ねじ４２ｍの外形の半径ｒ２より小さい。
案内突出片４２ｔは、長い本体部４２ｔ１とテーパ部４２ｔ２とを有している。
テーパ部４２ｔ２は、案内突出片４２ｔの先端部に形成されている。テーパ部４２ｔ２は、先端側にいくほど内側に位置する傾斜を有している。また、案内突出片４２ｔの根元内側には、凹形状の切り込み４２ｔ３が形成されている。
【００４６】
変形例３によれば、止水ボルト４２のねじ軸４２ａの先端部４２ａ１に足場つなぎアンカー１００の雌ねじ１００ｎの内径ｄ３の内側に位置する外径ｄ４をもつ案内突出片４２ｔを有する。そのため、足場つなぎアンカー用化粧キャップ部材４１を足場つなぎアンカー１００の筒内に嵌入する（図１４の矢印α１２）際、足場つなぎアンカー用化粧キャップ部材４１を足場つなぎアンカー１００の内部に、案内突出片４２ｔが案内することで円滑に打ち込むことができる（嵌入できる）。
また、案内突出片４２ｔの先端部にテーパ部４２ｔ２を有するとともに案内突出片４２ｔの根元内側に凹形状の切り込み４２ｔ３が形成されるので、外壁Ｋにおけるアンカー用の穴ｋ１の足場つなぎアンカー１００が浅く、案内突出片４２ｔが抜け防止材１０１（図３（ａ）参照）に当たっても、案内突出片４２ｔが柔軟に内側に曲がることができる。
【００４７】
なお、変形例３では、案内突出片４２ｔを雄ねじ軸４２ａの先端部４２ａ１に一対（２つ）形成する場合を説明したが、案内突出片４２ｔを３つ以上形成してもよい。なお、案内突出片４２ｔを約１８０度間隔で３つ形成すれば、２次元平面での案内が行い易い。
【００４８】
＜変形例４＞
足場つなぎアンカー１００の打ち込みで浅いものと深いものがある。
深さに対応するには、足場つなぎアンカー用化粧キャップ部材１（図１参照）の違う長さのものを準備しなければならない。そこで、止水ボルト１０２を準備して現場で雄ねじ１０２ｍ（図２５参照）を切断すると切断部分にバリや返りが出てねじがスムーズに入らない場合がある。
【００４９】
この問題に対応する構成が下記の変形例４である。
変形例４の足場つなぎアンカー用化粧キャップ部材５１（図１５参照）は止水ボルト５２を有している。止水ボルト５２は、ねじ軸５２ａとねじ頭部５２ｂとを有している。
そして、止水ボルト５２のねじ軸５２ａは、軸方向において雄ねじ５２ｍのねじ谷５２ｍ０の径ｄ５よりも小さな径ｄ６をもつねじ山が形成されていない円柱状の非ねじ軸５２ｈが設けられている。
【００５０】
つまり、ねじ軸５２ａには、非ねじ軸５２ｈを挟んで、２箇所に雄ねじ５２ｍが形成されている。
足場つなぎアンカー用化粧キャップ部材５１の使用に際して、足場つなぎアンカー１００の打ち込みの深さに応じて、非ねじ軸５２ｈを切断する。
【００５１】
例えば、図１６に示すように、足場つなぎアンカー１００の打ち込みが浅いケースでは 
、足場つなぎアンカー１００の雌ねじ１００ｎが浅い位置にあるので、非ねじ軸５２ｈで切断する。なお、非ねじ軸５２ｈの切断した側に予め面取り５２ｃを付けて、止水ボルト５２が足場つなぎアンカー１００の雌ねじ１００ｎの内部に入り易くするようにしてもよい。
【００５２】
足場つなぎアンカー１００の打ち込みが深いケースでは、雌ねじ１００が深い位置にあるので、非ねじ軸５２ｈで切断しない。
変形例４によれば、現場でねじ軸５２ａの非ねじ軸５２ｈを切断砥石かのこぎりで切断することで、足場つなぎアンカー１００にスムーズに挿入できる。
【００５３】
止水ボルト５２は、足場つなぎアンカー１００の打ち込み状態に応じて対応できるので、金型や在庫コストを削減できる。
なお、変形例４では、非ねじ軸５２ｈを一つ形成した場合を説明したが、非ねじ軸５２ｈを２つ以上形成してもよい。
【００５４】
＜変形例５＞
図１８に示す変形例５は、化粧キャップ６３を止水ボルト６２と一体に形成して足場つなぎアンカー用化粧キャップ部６１Ａ、６１Ｂを構成したものである。
その他の構成は、実施形態１と同様であるから、同様な構成要素には６０番台の符号を付して示し、詳細な説明は省略する。
【００５５】
変形例５は、化粧キャップ６３を止水ボルト６２に一体形成して、足場つなぎアンカー用化粧キャップ部６２Ａを構成した例である。
したがって、部品点数が削減され、組立工程数が削減される。そのため、足場つなぎアンカー用化粧キャップ部６２Ａの低コスト化が図れる。
【００５６】
図１９に示す変形例５の他例は、アンカー用の穴ｋ１の径ｄ１（図１１参照）より大きな外径ｄ２をもつツバ部６２ｃと化粧キャップ６３とを止水ボルト６２に一体形成して足場つなぎアンカー用化粧キャップ部６２Ｂを構成した例である。
止水ボルト６２は、ねじ頭６２ｂとねじ軸６２ａとの間に防水用のツバ部６２ｃが一体に形成されている。
ツバ部６２ｃは、足場つなぎアンカー用の穴ｋ１の径ｄ１（図１１参照）より大きな外径ｄ２を有して覆う外周部６２ｃ１が形成されている。
【００５７】
変形例５の他例の足場つなぎアンカー用化粧キャップ部６２Ｂによれば、化粧キャップ６３とツバ部６２ｃとを止水ボルト６２に一体形成したので、部品点数がさらに削減される。また、さらに組立工程数が削減される。
したがって、低コストの足場つなぎアンカー用化粧キャップ部材６２Ａ、６２Ｂを得られる。
【００５８】
＜変形例６＞
変形例６の足場つなぎアンカー用化粧キャップ部材７１（図２０参照）は、化粧キャップ７３が止水ボルト４２に対して柔軟に曲げられる構成である。
その他の構成は実施形態４と同様であるので、同様な構成要素には同一の符号を付して示し詳細な説明は省略する。
【００５９】
変形例６の足場つなぎアンカー用化粧キャップ部材７１は、ゴムパッキン４が嵌められた止水ボルト４２のキャップ穴に化粧キャップ７３が嵌入されている。ねじ軸４２ａの先端部４２ａ１から一対の案内突出片４２ｔが突出して、形成されている。
【００６０】
化粧キャップ７３は、図２１にも示すように、キャップ部７３ａと支持軸部７３ｂとが樹脂または金属を用いて一体に形成されている。
支持軸部７３ｂの根元部７３ｂ１は、キャップ部７３ａに近付くにつれて細く形成され、キャップ部７３ａに屈曲自在になるよう構成されている。
これにより、図２０に示すように、足場つなぎアンカー用化粧キャップ部材７１を外壁Ｋの足場つなぎアンカー１００の内部に打ち込んだ際に傾斜していても化粧キャップ７３のキャップ部７３ａの外面７３ａ１が外壁Ｋの外面Ｋｇに沿わせることができる。
【００６１】
＜変形例７＞
変形例７の足場つなぎアンカー用化粧キャップ部材９１（図２２（ｂ）参照）は、変形例６の変更タイプである。
図２２（ａ）に示すように、変形例７の化粧キャップ９３は、キャップ部９３ａと支持軸部９３ｂとを有している。
【００６２】
支持軸部９３ｂは、耐候性樹脂で成形される。支持軸部９３ｂは、球部９３ｂ１と円柱状の軸部９３ｂ２、および球部９３ｂ１と軸部９３ｂ２とを接続する細い接続部９３ｂ３が形成されている。接続部９３ｂ３は軸部９３ｂ２から球部９３ｂ１に近づくに従い次第に細い径となる形状をもつ。
キャップ部９３ａは、金属製または樹脂製の円板状の部材である。キャップ部９３ａは、円板状の外板９３ａ１と外板９３ａ１より径が小さく厚い接続板９３ａ２とが形成されている。接続板９３ａ２には、支持軸部９３ｂの球部９３ｂ１がインサート成形される。
【００６３】
図２２（ｂ）に、足場つなぎアンカー用化粧キャップ部材９１が外壁Ｋの外面Ｋｇに垂直な方向に対して10°の角度で打ち込んだ足場つなぎアンカー１００に設置された状態を一例として示す。
図２３（ａ）に、現状品である他社製品の化粧キャップ１９３の一例の正面断面図を示し、図２３（ｂ）に、現状品である他社製品の足場つなぎアンカー用化粧キャップ部材１９１が足場つなぎアンカー１００の内部に設置された状態の一例の断面図を示す。
【００６４】
化粧キャップ１９３は、キャップ部１９３ａと支持軸部１９３ｂとを有している。
キャップ部１９３ａは金属製である。キャップ部１９３ａは円板部１９３ａ１と球部１９３ａ２とが細い金属軸１９３ａ３で接続されている。
支持軸部１９３ｂは樹脂製の略円柱状の部材である。支持軸部１９３ｂにはスリット１９３ｂ１が形成される。支持軸部１９３ｂにはキャップ部１９３ａの球部１９３ａ２がインサート成形される。
【００６５】
化粧キャップ１９３は球体である球部１９３ａ２の位置がキャップ部１９３ａの表面から離れている。例えば、図２３（ａ）に示すように、化粧キャップ１９３の支持軸部１９３ｂの軸方向の長さｓ１１＝3.95mm。そのため、化粧キャップ１９３の打ち込み後に、アンカー用の穴ｋ１とキャップ部１９３ａとの間の隙間ｓ１２が例えば0.84mmとなる。
【００６６】
これに対して、図２２（ａ）に示す変形例７の化粧キャップ９３は、球体である球部９３ａ２の位置がキャップ部９３ａの表面から近い。例えば化粧キャップ９３の支持軸部９３ｂの軸方向の長さｓ１＝1.8mm。そのため、化粧キャップ９３の打ち込み後に、アンカ
ー用の穴ｋ１とキャップ部９３ａとの間の隙間ｓ２が例えば0.46 mmで済む。
【００６７】
変形例７の化粧キャップ９３は、化粧キャップ１９３と比較し、アンカー用の穴ｋ１とキャップ部９３ａとの間の隙間ｓ２が約半分に改善されている。
上述の変形例７の化粧キャップ９３は前記の変形例６の化粧キャップ７３より更に効果が高い。 
【００６８】
＜＜実施形態２＞＞
図２４（ａ）に示す実施形態２の足場つなぎアンカー用化粧キャップ部材１Ａは、実施形態１と変形例１と変形例３とを組み合わせて構成したものである。
図２４（ｂ）に示すように、止水ボルト８２の雄ねじ８２ｍを、足場つなぎアンカー１００の雌ねじ１００ｎ（図３（ａ）参照）と同じピッチでπ位相をずらして形成した第１雄ねじ２ｍ１と第２雄ねじ２ｍ２とで形成している。そして、雄ねじ８２ｍの外周部を雄ねじ頭部８２ｂの側から雄ねじ８２ｍの先端８２ａ１の側まで軸方向に沿って除去された面取り箇所８２ｍ１が１箇所以上ある構成としたものである。
【００６９】
図２４（ａ）〜（ｃ）では面取り箇所８２ｍ１を４箇所形成した例を示している。止水ボルト８２の雄ねじ８２ｍのねじ山の高さは、足場つなぎアンカー１００の雌ねじ１００ｎのねじ山の高さより低く形成されている。
ねじ軸８２ａの先端部８２ａ１から案内突出片８２ｔを突出して一対形成している。
案内突出片８２ｔは、長い本体部８２ｔ１とテーパ部８２ｔ２とを有している。テーパ部８２ｔ２は、案内突出片８２ｔの先端部に、先端側にいくほど内側に位置する傾斜を有している。また、案内突出片８２ｔの根元内側には、凹形状の切り込み８２ｔ３が形成されている。
【００７０】
実施形態２によれば、雄ねじ８２ｍの外周部がねじ頭部８２ｂの側から雄ねじ８２ｍの先端８２ａ１の側まで軸方向に沿って除去された面取り箇所８２ｍ１が形成されているので、よりスムーズに壁Ｋのアンカー用の穴ｋ１に打ち込む（嵌合する）ことができる。
また、止水ボルト８２の雄ねじ８２ｍに面取り箇所８２ｍ１を有する。そのため、足場つなぎアンカー１００の内部に足場つなぎアンカー用化粧キャップ部材１Ａを打ち込む際に、足場つなぎアンカー１００の雌ねじ１００ｎと、足場つなぎアンカー用化粧キャップ部材１Ａの雄ねじ８２ｍとの軸方向の重畳面積が減るので、円滑かつ容易に打ち込める。
【００７１】
また、止水ボルト８２は先端にテーパ部８２ｔ２と凹形状の切り込み８２ｔ３とを有する案内突出片８２ｔを備えるので、足場つなぎアンカー１００の内部に足場つなぎアンカー用化粧キャップ部材１Ａを打ち込む際に案内突出片８２ｔに案内させて円滑に打ち込むことができる。  なお、止水ボルト８２の雄ねじ８２ｍは、足場つなぎアンカー１００の雌ねじ１００ｎの１／２ピッチのピッチｐ２の雄ねじ２ｍ３で構成してもよい。
【００７２】
＜変形例８＞
変形例８の化粧キャップ１１３は、変形例６の化粧キャップ７３の変更タイプである。
図２５に示すように、変形例８の化粧キャップ１１３は、キャップ部１１３ａと支持軸部１１３ｂとが樹脂または金属を用いて一体に形成されている。
支持軸部１１３ｂの根元部には、キャップ部１１３ａ側から、小径部１１３ｂ１、係止部１１３ｂ２、傾斜面部１１３ｂ３が順次形成されている。小径部１１３ｂ１は、キャップ部１１３ａの中心部に連続しており、キャップ部１１３ａが支持軸部１１３ｂに対して屈曲自在になるように細く形成されている。
係止部１１３ｂ２は、小径部１１３ｂ１より大径の突条を備えている。突条は、小径部１１３ｂ１から連続して支持軸部１１３ｂの先端側に向かうに連れて徐々に拡径した後、若干縮径する。突条は、断面三角形状を呈し、円周方向に沿って環状に形成されている。
傾斜面部１１３ｂ３は、係止部１１３ｂ２の先端から連続して支持軸部１１３ｂの先端側に向かう（キャップ部１１３ａから離れる）に連れて徐々に拡径し、支持軸部１１３ｂの外周面に繋がっている。
変形例８の化粧キャップ１１３は、実施形態１の化粧キャップ３、変形例６の化粧キャップ７３や変形例７の化粧キャップ９３に代えて用いることができる。
【００７３】
このような構造の化粧キャップ１１３によれば、化粧キャップ１１３を止水ボルト１１２に挿入した状態で、万一小径部１１３ｂ１が破断し、キャップ部１１３ａが外れた場合に、支持軸部１１３ｂを取り出すことができる。具体的には、ラジオペンチ等の工具を用いて係止部１１３ｂ２を挟み込み、引き抜くことで容易に支持軸部１１３ｂを取り出すことができる。
【００７４】
＜変形例９＞
変形例９のゴムパッキン１１４は、実施形態１のゴムパッキン４と止水ボルトに装着される向きが逆である。ゴムパッキン１１４は、円筒形状を呈し、止水ボルト１１２のねじ軸１１２ａの根元に予め嵌められている。ゴムパッキン１１４は、図２６に示すように、胴部１１４ａと鍔部１１４ｂとを有している。鍔部１１４ｂは、胴部４ａから離れるに連れて次第に径が小さくなる円錐台形状を呈した円環部１１４ｂ１を有している。円環部１１４ｂ１は、足場つなぎアンカー用化粧キャップ部材１１１が打ち込まれる際にゴムパッキン１１４が滑らかにアンカー用の穴ｋ１の内周面に摺動してシールすることができる大きさに形成されている。ゴムパッキン１１４は、鍔部１１４ｂが胴部１１４ａよりもねじ軸１１２ａの先端側に位置するように、ねじ軸１１２ａの根元に嵌められる。
変形例９のゴムパッキン１１４は、実施形態１や実施形態２のゴムパッキン４に代えて用いることができ、変形例１乃至５の止水ボルトに装着することができる。
【００７５】
このような構成のゴムパッキン１１４によれば、ゴムパッキン１１４が装着された止水ボルト１１２を穴ｋ１に挿入する際に、鍔部１１４ｂが穴ｋ１の内周面に引っかからず、円滑に挿入できる。また、鍔部１１４ｂは、ねじ頭１１２ｂから離れているので、変形し易く、穴ｋ１内を挿通しやすい。
【００７６】
＜変形例１０＞
変形例１０の止水ボルト１１２は、ねじ軸１１２ａとねじ頭１１２ｂとを備えている。図２７および図２８に示すように、ねじ軸１１２ａの内側には、棒状のレンチ（図示せず）が挿入されるレンチ穴１１５が軸方向に延在して設けられている。本変形例のレンチ穴１１５は、断面多角形状（本変形例１０では六角穴形状）を呈しており、六角レンチが挿入される。レンチ穴１１５は、ねじ頭１１２ｂの表面の開口部１１６から連続している。開口部１１６は、レンチ穴１１５の六角穴より大径の円形穴形状を呈している。開口部１１６の外側端部には、外側に向かって拡径するテーパ部１１６ａが形成されている。レンチ穴１１５は、化粧キャップ１１３の支持軸部１１３ｂが嵌入されるキャップ穴１１２ｂ１と兼用されている。レンチ穴１１５は、支持軸部１１３ｂの形状に応じて、軸方向寸法および内径寸法が設定されている。なお、レンチ穴１１５の形状は、六角に限定されるものではなく、断面多角形状であればよく、レンチの断面形状に合わせて他の多角形や星形等、他の形状であってもよい。なお、星形も多角形に含む。
変形例１０の止水ボルト１１２は、実施形態１の止水ボルト２や実施形態２の止水ボルト８２に代えて用いることができる。。
【００７７】
このような構成の止水ボルト１１２によれば、ねじ頭１１２ｂにボックスレンチを嵌めて止水ボルト１１２を着脱する場合と比較して、ねじ頭１１２ｂの軸方向長さを短くすることができる。これによって、化粧キャップ１１３と穴ｋ１の隙間から浸入する雨水が溜まるエリアを小さくすることができる。また、レンチ穴１１５の軸方向寸法を十分に確保できるので、確実に止水ボルト１１２を回転することができる。
【００７８】
＜＜実施形態３＞＞
図２９に示す実施形態３の足場つなぎアンカー用化粧キャップ部材１１１は、実施形態１と変形例８と変形例９と変形例１０とを組み合わせて構成したものである。実施形態３のアンカー用化粧キャップ部材１１１は、止水ボルト１１２に挿入された化粧キャップ１１３の形状と、止水ボルト１１２のねじ軸１１２ａの根元に嵌められたゴムパッキン１１４の形状と止水ボルト１１２の形状が実施形態１と異なる。また、止水ボルト１１２には、ねじ軸１１２ａの先端部１１２ａ１から一対の案内突出部１１２ｔが突出して形成されている。
その他の構成は実施形態１と同様であるので、同様な構成要素には同一の符号を付して示し詳細な説明は省略する。
【００７９】
本実施形態の止水ボルト１１２は、六角レンチを用いて、足場つなぎアンカー１００の雌ねじ１００ｎに螺合される。アンカー用化粧キャップ部材１１１の止水ボルト１１２のキャップ穴１１２ｂ１には、変形例８の化粧キャップ１１３の支持軸部１１３ｂが嵌入されている。止水ボルト１１２のねじ軸１１２ａの根元には、変形例９のゴムパッキン１１４が嵌合されている。ゴムパッキン４は、鍔部１１４ｂが胴部１１４ａよりもねじ軸１１２ａの先端側に位置するように、ねじ軸１１２ａの根元に嵌められている。
【００８０】
実施形態３によれば、化粧キャップ１１３を傾斜させる際に、万一小径部１１３ｂ１が破断しキャップ部１１３ａが外れたとしても、ラジオペンチ等の工具で係止部１１３ｂ２を挟み込み、引き抜くことで容易に支持軸部１１３ｂを取り出すことができる。
また、ゴムパッキン１１４の鍔部１１４ｂが挿入方向の先端側が小径の円錐状部１１４ｂ１を備えているので、止水ボルト１１２を穴ｋ１に挿入する際に、ゴムパッキン１１４の鍔部１１４ｂが穴ｋ１の内周面に引っかからず、止水ボルト１１２を円滑に挿入することができる。また、鍔部１１４ｂは、ねじ頭１１２ｂから離れているので、変形し易く、止水ボルト１１２は穴ｋ１内をより一層挿入しやすい。
【００８１】
さらに、止水ボルト１１２は、ねじ軸１１２ａの内側にレンチ穴１１５が形成されているので、ねじ頭１１２ｂにボックスレンチを嵌めて止水ボルト１１２を着脱する場合と比較して、ねじ頭１１２ｂの軸方向長さを短くすることができる。よって、化粧キャップ１１３と穴ｋ１の隙間から浸入する雨水が溜まるエリアを小さくすることができる。さらに、一旦足場つなぎアンカー１００に装着した止水ボルト１１２は、化粧キャップ１１３を取り外した後に、レンチ穴１１５にレンチを挿入して回転させることで、取り外すことができる。
【００８２】
＜＜その他の実施形態＞＞
１．前記実施形態１、２、３、変形例１〜１０では、様々な構成を説明したが、実施形態１、２、３、各変形例１〜１０の少なくとも一部を採用してもよい。例えば、説明した実施形態１、２および変形例１〜１０の構成を、適宜選択して組み合わせて構成してもよい。
【００８３】
２．前記実施形態１、２、３、変形例１〜１０で説明した構成は、本発明の一例であり、特許請求の範囲で記載した範囲内でその他の様々な形態が可能である。また、各実施形態及び各変形例でしめした止水ボルトは、既存の化粧キャップ（例えば、図２３（ａ））の支持軸部をねじ頭部のキャップ穴に差し込んで使用することも可能である。
【符号の説明】
【００８４】
１、１Ａ、３１、４１、５１、６１Ａ、６１Ｂ、７１、９１、１１１  足場つなぎアンカー用化粧キャップ部材（インサート）
２、２２、３２、４２、５２、６２、７２、８２、１１２  止水ボルト
２ｂ、２２ｂ、３２ｂ、５２ｂ、８２ｂ  ねじ頭部
２ｂ１  キャップ穴
２ｍ１  第１雄ねじ（それぞれのねじ山の中間に２つ形成される雄ねじ） 
２ｍ２  第２雄ねじ（それぞれのねじ山の中間に２つ形成される雄ねじ）
３、６３、７３、９３、１１３  化粧キャップ
３２ｂ２  逃げ部
３２ｃ  ツバ部
３２ｃ１  外周部
４２ａ１、８２ａ１  先端部
４２ｔ、８２ｔ  案内突出片
４２ｔ３、８２ｔ３  切り込み
５２ｃ  面取り（面取り箇所）
５２ｈ  非ねじ軸
６３  ねじ頭部に形成された化粧キャップ
１００ｎ  雌ねじ
ｈ１    雌ねじ、のねじ山の高さ
ｈ２    雄ねじのねじ山の高さ
ｐ１    雌ねじのねじピッチ
ｐ２    雄ねじのねじピッチ
θ      位相
【図１】
2020204247.tif 000003
【図２】
2020204247.tif 000004
【図３】
2020204247.tif 000005
【図４】
2020204247.tif 000006
【図５】
2020204247.tif 000007
【図６】
2020204247.tif 000008
【図７】
2020204247.tif 000009
【図８】
2020204247.tif 000010
【図９】
2020204247.tif 000011
【図１０】
2020204247.tif 000012
【図１１】
2020204247.tif 000013
【図１２】
2020204247.tif 000014
【図１３】
2020204247.tif 000015
【図１４】
2020204247.tif 000016
【図１５】
2020204247.tif 000017
【図１６】
2020204247.tif 000018
【図１７】
2020204247.tif 000019
【図１８】
2020204247.tif 000020
【図１９】
2020204247.tif 000021
【図２０】
2020204247.tif 000022
【図２１】
2020204247.tif 000023
【図２２】
2020204247.tif 000024
【図２３】
2020204247.tif 000025
【図２４】
2020204247.tif 000026
【図２５】
2020204247.tif 000027
【図２６】
2020204247.tif 000028
【図２７】
2020204247.tif 000029
【図２８】
2020204247.tif 000030
【図２９】
2020204247.tif 000031
【図３０】
2020204247.tif 000032
【図３１】
2020204247.tif 000033